(57)【要約】  情報共有装置（１００）は、複数の情報処理端末間での情報共有が可能なネットワークサービスを提供する。情報共有装置（１００）は、情報処理端末から、情報処理端末に設定された目的地情報を取得する取得部（１０１）と、情報処理端末を利用しているユーザを、目的地情報と関連する目的地が設定された他の情報処理端末を利用するユーザからなるユーザグループのデータベースに登録する登録部（１０２）と、登録部（１０２）に登録されている同一のユーザグループ間で情報を共有する共有部（１０３）とを有する。
2014162611.tif 000002
【特許請求の範囲】
【請求項１】
複数の情報処理端末間での情報共有が可能なネットワークサービスを提供する情報共有システムであって、
前記情報処理端末から、当該情報処理端末に設定された目的地情報を取得する取得部と、
前記情報処理端末を利用しているユーザを、前記目的地情報と関連する目的地が設定された他の情報処理端末を利用するユーザからなるユーザグループのデータベースに登録する登録部と、
前記登録部に登録されている同一のユーザグループ間で情報を共有する共有部と、
を有することを特徴とする情報共有システム。
【請求項２】
前記取得部は、前記情報処理端末を利用するユーザを特定するＩＤ情報を取得し、
前記登録部は、前記ＩＤ情報を、前記取得部によって取得された目的地情報と関連する目的地が設定された他の情報処理端末のＩＤ情報により構成されるデータベースへ登録することを特徴とする請求項１に記載の情報共有システム。
【請求項３】
前記共有部は、前記情報処理端末から送信された前記ユーザのメッセージ、前記ユーザの現在位置の渋滞情報、前記ユーザの移動速度、前記ユーザの位置、のうち一つ以上を前記情報として共有することを特徴とする請求項１に記載の情報共有システム。
【請求項４】
前記登録部は、前記情報処理端末から前記目的地に到着したことを示す情報を取得した場合、前記データベースの当該情報処理端末の前記ユーザを登録解除し、情報の共有を解除することを特徴とする請求項１に記載の情報共有システム。
【請求項５】
地図情報、および前記情報処理端末の現在位置と目的地の情報に基づき、前記情報処理端末の目的地までの経路を探索する探索部を有し、前記経路を前記情報処理端末に送信することを特徴とする請求項１に記載の情報共有システム。
【請求項６】
前記同一のユーザグループに属するユーザ数が所定数より多い場合、前記ユーザと関連性が高い他のユーザの情報を選択して情報共有することを特徴とする請求項１に記載の情報共有システム。
【請求項７】
ユーザにより設定された目的地情報をサーバへ送信する送信部と、
前記目的地情報と関連する目的地が設定された他の情報処理端末が前記サーバへ送信した情報を当該サーバから受信する受信部と、
前記受信した情報を表示する表示部と、
を有することを特徴とする情報処理端末。
【請求項８】
サーバに接続された複数の情報処理端末間での情報共有が可能なネットワークサービスを提供する情報共有システムであって、
前記情報処理端末は、
ユーザにより設定された目的地情報をサーバへ送信する送信部と、
前記目的地情報と関連する目的地が設定された他の情報処理端末が前記サーバへ送信した情報を当該サーバから受信する受信部と、
前記受信した情報を表示する表示部と、
を有し、
前記サーバは、
前記情報処理端末から、当該情報処理端末に設定された目的地情報を取得する取得部と、
前記情報処理端末を利用しているユーザを、前記目的地情報と関連する目的地が設定された他の情報処理端末を利用するユーザからなるユーザグループのデータベースに登録する登録部と、
前記登録部に登録されている同一のユーザグループの前記情報処理端末間で情報を共有する共有部と、
を有することを特徴とする情報共有システム。
【請求項９】
複数の情報処理端末間での情報共有が可能なネットワークサービスを提供する情報共有装置が実施する情報共有方法において、
前記情報処理端末から、当該情報処理端末に設定された目的地情報を取得する取得工程と、
前記情報処理端末を利用しているユーザを、前記目的地情報と関連する目的地が設定された他の情報処理端末を利用するユーザからなるユーザグループのデータベースに登録する登録工程と、
前記登録工程に登録された同一のユーザグループ間で情報を共有する共有工程と、
を含むことを特徴とする情報共有方法。
【請求項１０】
複数の情報処理端末間での情報共有が可能なネットワークサービスを提供するサーバに接続される情報処理端末が実施する情報処理方法において、
ユーザにより設定された目的地情報をサーバへ送信する送信工程と、
前記目的地情報と関連する目的地が設定された他の情報処理端末が前記サーバへ送信した情報を当該サーバから受信する受信工程と、
前記受信した情報を表示する表示工程と、
を含むことを特徴とする情報共有方法。
【請求項１１】
請求項９または請求項１０に記載の情報共有方法をコンピュータに実行させることを特徴とする情報共有プログラム。
【発明の詳細な説明】
【技術分野】
【０００１】
この発明は、他のユーザと情報共有する情報共有システム、情報処理端末、情報共有方法および情報共有プログラムに関する。ただし、この発明の利用は、情報共有システム、情報処理端末、情報共有方法および情報共有プログラムに限らない。
【背景技術】
【０００２】
従来、情報端末間の通信によりチャットなどの情報のやりとりをおこなう技術が提案されている。例えば、車両に搭載されたナビゲーション装置間で入力したメッセージなどを他のナビゲーション装置へ送信する（例えば、下記特許文献１参照。）。
【先行技術文献】
【特許文献】
【０００３】
【特許文献１】特開２００７−２５５９０８号公報
【発明の概要】
【発明が解決しようとする課題】
【０００４】
上記従来の技術では、通信の対象となるナビゲーション装置の情報を予め入力しておき、入力された情報に対応するナビゲーション装置に対して、情報のやりとりを可能としたもので、それ以外の自分が知らない他のユーザに対しては、情報のやりとりをおこなうことができない。また、情報のやりとりをおこなうユーザは、一時的ではないため、個人の行動履歴や情報が漏洩する問題がある。
【課題を解決するための手段】
【０００５】
上述した課題を解決し、目的を達成するため、請求項１の発明にかかる情報共有システムは、複数の情報処理端末間での情報共有が可能なネットワークサービスを提供する情報共有システムであって、前記情報処理端末から、当該情報処理端末に設定された目的地情報を取得する取得部と、前記情報処理端末を利用しているユーザを、前記目的地情報と関連する目的地が設定された他の情報処理端末を利用するユーザからなるユーザグループのデータベースに登録する登録部と、前記登録部に登録されている同一のユーザグループ間で情報を共有する共有部と、を有することを特徴とする。【０００６】
また、請求項７の発明にかかる情報処理端末は、ユーザにより設定された目的地情報をサーバへ送信する送信部と、前記目的地情報と関連する目的地が設定された他の情報処理端末が前記サーバへ送信した情報を当該サーバから受信する受信部と、前記受信した情報を表示する表示部と、を有することを特徴とする。【０００７】
また、請求項８の発明にかかる情報共有システムは、サーバに接続された複数の情報処理端末間での情報共有が可能なネットワークサービスを提供する情報共有システムであって、前記情報処理端末は、ユーザにより設定された目的地情報をサーバへ送信する送信部と、前記目的地情報と関連する目的地が設定された他の情報処理端末が前記サーバへ送信した情報を当該サーバから受信する受信部と、前記受信した情報を表示する表示部と、を有し、前記サーバは、前記情報処理端末から、当該情報処理端末に設定された目的地情報を取得する取得部と、前記情報処理端末を利用しているユーザを、前記目的地情報と関連する目的地が設定された他の情報処理端末を利用するユーザからなるユーザグループのデータベースに登録する登録部と、前記登録部に登録されている同一のユーザグループの前記情報処理端末間で情報を共有する共有部と、を有することを特徴とする。【０００８】
また、請求項９の発明にかかる情報共有方法は、複数の情報処理端末間での情報共有が可能なネットワークサービスを提供する情報共有装置が実施する情報共有方法において、前記情報処理端末から、当該情報処理端末に設定された目的地情報を取得する取得工程と、前記情報処理端末を利用しているユーザを、前記目的地情報と関連する目的地が設定された他の情報処理端末を利用するユーザからなるユーザグループのデータベースに登録する登録工程と、前記登録工程に登録された同一のユーザグループ間で情報を共有する共有工程と、を含むことを特徴とする。【０００９】
また、請求項１０の発明にかかる情報共有方法は、複数の情報処理端末間での情報共有が可能なネットワークサービスを提供するサーバに接続される情報処理端末が実施する情報処理方法において、ユーザにより設定された目的地情報をサーバへ送信する送信工程と、前記目的地情報と関連する目的地が設定された他の情報処理端末が前記サーバへ送信した情報を当該サーバから受信する受信工程と、前記受信した情報を表示する表示工程と、を含むことを特徴とする。【００１０】
また、請求項１１の発明にかかる情報共有プログラムは、請求項９または請求項１０に記載の情報共有方法をコンピュータに実行させることを特徴とする。
【図面の簡単な説明】
【００１１】
【図１】図１は、実施の形態にかかる情報共有システムの機能的構成の一例を示すブロック図である。
【図２】図２は、実施の形態にかかる情報共有システムの処理手順の一例を示すフローチャートである。
【図３】図３は、ナビゲーション装置のハードウェア構成の一例を示すブロック図である。
【図４】図４は、サーバの構成例を示す図である。
【図５】図５は、ユーザの登録処理を示すフローチャートである。
【図６】図６は、ユーザ間の情報共有処理を示すフローチャートである。
【図７】図７は、データベースに格納される情報例を示す図表である。
【図８】図８は、ユーザの登録処理後のユーザ間の情報共有処理を示すフローチャートである。
【図９】図９は、データベースに格納される情報例を示す図表である。
【図１０】図１０は、ナビゲーション装置に表示される共有情報の表示例を示す図である。
【図１１】図１１は、ナビゲーション装置に表示される共有情報の他の表示例を示す図である。
【図１２】図１２は、ユーザの脱会処理を示すフローチャートである。（その１）
【図１３】図１３は、ユーザの脱会処理を示すフローチャートである。（その２）
【図１４】図１４は、ユーザの脱会処理を示すフローチャートである。（その３）
【発明を実施するための形態】
【００１２】
（実施の形態）
以下に添付図面を参照して、この発明にかかる情報共有システム、情報処理端末、情報共有方法および情報共有プログラムの好適な実施の形態を詳細に説明する。
【００１３】
図１は、実施の形態にかかる情報共有装置の機能的構成の一例を示すブロック図である。実施の形態にかかる情報共有システムは、単一のサーバ（情報共有装置１００）が取得部１０１と、登録部１０２と、共有部１０３、の各機能を含む。また、図１の機能別に分散された複数のサーバを用いる構成としてもよい。
【００１４】
取得部１０１は、情報処理端末から、この情報処理端末に設定された目的地情報を取得する。登録部１０２は、情報処理端末を利用しているユーザを、目的地情報と関連する目的地が設定された他の情報処理端末を利用するユーザからなるユーザグループのデータベースに登録する。
【００１５】
そして、取得部１０１は、情報処理端末を利用するユーザを特定するＩＤ情報を取得し、登録部１０２は、取得したＩＤ情報を、取得部１０１によって取得された目的地情報と関連する目的地が設定された他の情報処理端末のＩＤ情報により構成されるデータベースへ登録する。このＩＤ情報は、ユーザそのものの個人情報ではなく、例えば、予め設定したユーザに割り当てたユーザＩＤや、情報処理端末に固有の製造番号等の端末ＩＤをＩＤ情報として用いる。
【００１６】
また、登録部１０２は、情報処理端末から目的地に到着したことを示す情報を取得した場合、データベースの情報処理端末のユーザを登録解除し、情報の共有を解除する。この際、情報処理端末は、ユーザの個人情報はサーバへ送出せず、ユーザを特定しないため、個人情報を秘匿できる。また、各ユーザの目的地は同一地点に限らず、同一地点近傍の所定範囲を含む。
【００１７】
共有部１０３は、登録部１０２に登録されている同一のユーザグループ間で情報を共有する。この共有する情報としては、情報処理端末から送信されたユーザのメッセージ、ユーザの現在位置の渋滞情報、ユーザの移動速度、ユーザの位置等であり、これらのうち一つ以上を情報としてユーザの情報処理端末間で共有する。
【００１８】
図２は、実施の形態にかかる情報共有システムの処理手順の一例を示すフローチャートである。情報共有装置１００が実行する情報共有処理について説明する。はじめに、情報共有装置１００は、ユーザの情報処理端末から、この情報処理端末に設定された目的地情報を取得する（ステップＳ２０１）。また、この際、取得部１０１は、情報処理端末を利用するユーザを特定するＩＤ情報を取得する。
【００１９】
次に、登録部１０２は、情報処理端末を利用しているユーザを、目的地情報と関連する目的地が設定された他の情報処理端末を利用するユーザからなるユーザグループのデータベースに登録する（ステップＳ２０２）。そして、共有部１０３は、登録部１０２に登録されている同一のユーザグループ間で情報を共有する（ステップＳ２０３）。この共有する情報としては、情報処理端末から送信されたユーザのメッセージ、ユーザの現在位置の渋滞情報、ユーザの移動速度、ユーザの位置等であり、これらのうち一つ以上を情報としてユーザの情報処理端末間で共有する。
【００２０】
この後、登録部１０２は、情報処理端末から目的地に到着したことを示す情報を取得した場合、データベースの情報処理端末のユーザを登録解除し、情報の共有を解除する。
【００２１】
上記処理によれば、ユーザが目的地へ向けて移動している間、このユーザの情報処理端末がユーザグループに登録され、ユーザグループに登録されている他のユーザとの間で情報を共有することができる。これにより、各ユーザが共通する目的地到着までの間、メッセージ、ユーザの現在位置の渋滞情報、ユーザの移動速度、ユーザの位置等を他のユーザと共有することができる。
【００２２】
上記実施の形態によれば、ユーザは、目的地へ向けて移動している間、他のユーザとの間で情報を共有することができ、ユーザグループに登録されている各ユーザは、必要とする情報を他のユーザから取得できるようになる。また、情報の共有は、ユーザの目的地設定に応じて登録され、目的地到着により解除されるため、目的地到着までの必要な期間のみ情報共有サービスを利用でき、ユーザによる情報共有サービスへの登録および解除の操作を簡単におこなえるようになる。
【実施例】
【００２３】
以下に、本発明の実施例について説明する。本実施例では、各ユーザの車両にナビゲーション装置３００が搭載され、各ユーザのナビゲーション装置３００が上述した情報共有装置１００としてのサーバにアクセスする構成について説明する。【００２４】
（ナビゲーション装置３００のハードウェア構成）
次に、ナビゲーション装置３００のハードウェア構成について説明する。図３は、ナビゲーション装置のハードウェア構成の一例を示すブロック図である。図３において、ナビゲーション装置３００は、ＣＰＵ３０１、ＲＯＭ３０２、ＲＡＭ３０３、磁気ディスクドライブ３０４、磁気ディスク３０５、光ディスクドライブ３０６、光ディスク３０７、音声Ｉ／Ｆ（インターフェース）３０８、マイク３０９、スピーカ３１０、入力デバイス３１１、映像Ｉ／Ｆ３１２、ディスプレイ３１３、通信Ｉ／Ｆ３１４、ＧＰＳユニット３１５、各種センサ３１６、カメラ３１７、を備えている。各構成部３０１〜３１７は、バス３２０によってそれぞれ接続されている。【００２５】
ＣＰＵ３０１は、ナビゲーション装置３００の全体の制御を司る。ＲＯＭ３０２は、ブートプログラム、情報共有プログラムを記録している。ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。【００２６】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、例えば、ＨＤ（ハードディスク）やＦＤ（フレキシブルディスク）を用いることができる。【００２７】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどを用いることができる。【００２８】
磁気ディスク３０５および光ディスク３０７に記録される情報の一例としては、地図データ、車両情報、道路情報、走行履歴などが挙げられる。地図データは、カーナビゲーションシステムにおいて経路探索するときに用いられ、建物、河川、地表面、エネルギー補給施設などの地物（フィーチャ）をあらわす背景データ、道路の形状をリンクやノードなどであらわす道路形状データなどを含むベクタデータである。【００２９】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、例えば、車両のダッシュボード部などに設置され、その数は単数でも複数でもよい。スピーカ３１０からは、所定の音声信号を音声Ｉ／Ｆ３０８内でＤ／Ａ変換した音声が出力される。【００３０】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか一つの形態によって実現されてもよいが、複数の形態によって実現することも可能である。【００３１】
映像Ｉ／Ｆ３１２は、ディスプレイ３１３に接続される。映像Ｉ／Ｆ３１２は、具体的には、例えば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。【００３２】
ディスプレイ３１３には、アイコン、カーソル、メニュー、ウインドウ、あるいは文字や画像などの各種データが表示される。ディスプレイ３１３としては、例えば、ＴＦＴ液晶ディスプレイ、有機ＥＬディスプレイなどを用いることができる。【００３３】
カメラ３１７は、車両内部あるいは外部の映像を撮影する。映像は静止画あるいは動画のどちらでもよく、例えば、カメラ３１７によって車両外部を撮影し、撮影した画像をＣＰＵ３０１において画像解析したり、映像Ｉ／Ｆ３１２を介して磁気ディスク３０５や光ディスク３０７などの記録媒体に出力したりする。【００３４】
通信Ｉ／Ｆ３１４は、無線を介してネットワークに接続され、ナビゲーション装置３００およびＣＰＵ３０１のインターフェースとして機能する。ネットワークとして機能する通信網には、ＣＡＮやＬＩＮ（Ｌｏｃａｌ  Ｉｎｔｅｒｃｏｎｎｅｃｔ  Ｎｅｔｗｏｒｋ）などの車内通信網や、公衆回線網や携帯電話網、ＤＳＲＣ（Ｄｅｄｉｃａｔｅｄ  Ｓｈｏｒｔ  Ｒａｎｇｅ  Ｃｏｍｍｕｎｉｃａｔｉｏｎ）、ＬＡＮ、ＷＡＮなどがある。通信Ｉ／Ｆ３１４は、例えば、公衆回線用接続モジュールやＥＴＣ（ノンストップ自動料金支払いシステム）ユニット、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）／ビーコンレシーバなどである。【００３５】
ＧＰＳユニット３１５は、ＧＰＳ衛星からの電波を受信し、車両の現在位置を示す情報を出力する。ＧＰＳユニット３１５の出力情報は、後述する各種センサ３１６の出力値とともに、ＣＰＵ３０１による車両の現在位置の算出に際して利用される。現在位置を示す情報は、例えば、緯度・経度、高度などの、地図データ上の１点を特定する情報である。【００３６】
各種センサ３１６は、車速センサ、加速度センサ、角速度センサ、傾斜センサなどの、車両の位置や挙動を判断するための情報を出力する。各種センサ３１６の出力値は、ＣＰＵ３０１による車両の現在位置の算出や、速度や方位の変化量の算出に用いられる。【００３７】
（サーバの構成例）
図４は、サーバの構成例を示す図である。情報共有装置１００を構成するサーバについても、図３に示したナビゲーション装置３００と同様の構成を有する。なお、サーバ４００においては、図３に記載のＧＰＳユニット３１５、各種センサ３１６、カメラ３１７、ディスプレイ３１３等は不要である。【００３８】
図１に示した情報共有装置１００は、サーバ４００に設けられたＲＯＭ等に記録されたプログラムやデータを用いて、ＣＰＵが所定のプログラムを実行することによって情報共有の機能（図１の取得部１０１、登録部１０２、共有部１０３）を実現する。サーバ４００のデータベース４１０（図３に記載の磁気ディスク３０５相当）には、複数のユーザグループの情報が格納される。また、通信Ｉ／Ｆ４１１を介してナビゲーション装置３００と通信をおこなう。【００３９】
また、サーバ４００は、デジタル地図４２１による地図情報を有し、各ナビゲーション装置３００のルート探索４２２、および地図上の各地点の地点情報４２３を取得する機能を有する。このサーバ４００は、各ナビゲーション装置３００の目的地を取得し、同一の目的地、または目的地が所定範囲内で一致する複数のユーザを抽出し、同じ目的地のユーザグループにユーザを登録する。ルート探索４２２の機能は、ユーザの現在位置および目的地に基づき、ユーザ毎の目的地までのルート探索をおこなう。地点情報４２３の機能は、目的地の情報（デジタル地図４２１上の座標（緯度経度等））、例えば目的地の施設に関する情報（施設名、住所、電話番号、施設の営業時間等）を取得し、各ユーザに通知する。【００４０】
図４には、ナビゲーション装置３００の機能についても記載してあり、このナビゲーション装置３００についても、サーバ４００同様に、デジタル地図４３１による地図情報を有し、各ナビゲーション装置３００のルート探索４３２、および地図上の各地点の地点情報４３３を取得する機能を有する。【００４１】
（情報共有サービスへの登録処理）
図５は、ユーザの登録処理を示すフローチャートである。ユーザの車両に搭載されるナビゲーション装置３００がおこなう処理（ステップＳ５０１〜ステップＳ５０７）と、サーバ４００（情報共有装置１００）がおこなう処理（ステップＳ５１０〜ステップＳ５１２）を記載してある。【００４２】
ナビゲーション装置３００は、はじめに、ユーザによる目的地（目的地点）の入力を受ける（ステップＳ５０１）。次に、ナビゲーション装置３００は、現在位置から目的地点までのルート（経路）を探索し（ステップＳ５０２）、現在位置から目的地までの道のり（経路）を表示部に表示する（ステップＳ５０３）。【００４３】
次に、ナビゲーション装置３００は、ユーザに対し情報共有サービスへの登録確認をおこない（ステップＳ５０４）、ユーザから情報共有サービスへの参加意志の入力を受ける（ステップＳ５０５）。ユーザから参加意思の入力があれば（ステップＳ５０６：Ｙｅｓ）、情報共有サービスへの参加登録をおこない（ステップＳ５０７）、登録情報をサーバへ送信する。ナビゲーション装置３００は、登録時の登録情報として、ユーザのＩＤ情報、出発時刻、送信時の時刻、現在位置、ルート（出発地から目的地までの道のり）、目的地、目的地への到着予想時刻等をサーバ４００に送信する。【００４４】
この際、少なくとも、ナビゲーション装置３００は、ユーザのＩＤ情報、現在位置、目的地をサーバに送信する構成としてもよい。サーバ４００は、これらユーザのＩＤ情報、現在位置、目的地に基づいて、ルート（出発地から目的地までの道のり）を算出することができる。加えて、サーバ４００は、ナビゲーション装置３００から出発時刻の送信を受ければ、目的地への経路探索の結果に基づいて、到着予想時刻を算出することができる。【００４５】
ステップＳ５０６において、ユーザから参加意思の入力がなければ（ステップＳ５０６：Ｎｏ）、情報共有サービスへの参加登録をおこなわずに終了する。【００４６】
サーバ４００では、ナビゲーション装置３００から登録情報を受信する（ステップＳ５１０）。そして、サーバ４００は、受信した登録情報（ユーザのＩＤ情報、目的地）に基づき、データベース４１０の複数のユーザグループのうち、同一の目的地（または同一の目的地近傍の目的地）のユーザグループに、このユーザ（ＩＤ）を登録する（ステップＳ５１１）。そして、サーバ４００は、データベース４１０の同一のユーザグループに含まれる各ユーザの現在情報をユーザのナビゲーション装置３００に返信し（ステップＳ５１２）、各ユーザ間での情報共有をおこなう。【００４７】
（ユーザ間の情報共有処理）
図６は、ユーザ間の情報共有処理を示すフローチャートである。図６には、ユーザ登録後におけるユーザ間の現在位置の共有の例を示している。ユーザの車両に搭載されるナビゲーション装置３００がおこなう処理（ステップＳ６０１〜ステップＳ６０５）と、サーバ４００（情報共有装置１００）がおこなう処理（ステップＳ６１０〜ステップＳ６１２）を記載してある。【００４８】
はじめに、ナビゲーション装置３００は、一定時間毎に現在位置を取得した都度（ステップＳ６０１）、現在位置に基づく目的地までの経路を再計算し、目的地への到着予想時刻を更新し（ステップＳ６０２）、サーバ４００に現在情報（現在位置と到着予想時刻）を送信する（ステップＳ６０３）。【００４９】
また、ナビゲーション装置３００は、サーバ４００から同一ユーザグループの他のユーザの現在情報を受信する（ステップＳ６０４）。そして、表示部に表示する地図上に各ユーザの現在情報（各ユーザの現在位置と到着予想時刻）を表示する（ステップＳ６０５）。【００５０】
サーバ４００は、各ユーザのナビゲーション装置３００から現在情報を受信する毎に（ステップＳ６１０）、各ユーザの現在情報を該当するユーザＩＤのデータベース４１０に登録する（ステップＳ６１１）。そして、データベース４１０を参照して、登録した各ユーザの現在情報を同一ユーザグループの各ユーザのナビゲーション装置３００に返信する（ステップＳ６１２）。【００５１】
上記処理により、ユーザは、同一ユーザグループの各ユーザの現在情報として、現在位置と到着予想時刻を知ることができるようになる。【００５２】
図７は、データベースに格納される情報例を示す図表である。あるユーザグループに属するユーザの情報を示した。ユーザ毎にレコード登録され、行ＩＤ、目的地の地点ＩＤ、地点名称、ユーザＩＤ、出発時刻、送信時刻、車両位置情報（緯度経度）、ルート形状（道のり）、到着予想時刻、最終情報取得時刻、状態管理、等が格納される。状態管理は、ユーザが目的地に到達するまでの期間は、情報共有サービスへの「参加中」として登録され、目的地到着後には、該当するユーザのレコードの削除、または「到達済」等に設定変更される。【００５３】
図８は、ユーザの登録処理後のユーザ間の情報共有処理を示すフローチャートである。図８には、ユーザ間のメッセージの共有の例を示している。ユーザの車両に搭載されるナビゲーション装置３００がおこなう処理（ステップＳ８０１〜ステップＳ８０６）と、サーバ４００（情報共有装置１００）がおこなう処理（ステップＳ８１０〜ステップＳ８１２）を記載してある。【００５４】
はじめに、ナビゲーション装置３００は、ユーザからのメッセージの入力があると（ステップＳ８０１）、車両の現在位置を取得し（ステップＳ８０２）、現在位置に基づく目的地までの経路を再計算し、目的地への到着予想時刻を更新する（ステップＳ８０３）。そして、サーバ４００に現在情報（現在位置とメッセージ）を送信する（ステップＳ８０４）。【００５５】
また、ナビゲーション装置３００は、サーバ４００から同一ユーザグループの他のユーザの現在情報を受信する（ステップＳ８０５）。そして、表示部に表示する地図上に各ユーザの現在情報（各ユーザの現在位置とメッセージ）を表示する（ステップＳ８０６）。【００５６】
サーバ４００は、各ユーザのナビゲーション装置３００から現在情報を受信する毎に（ステップＳ８１０）、各ユーザの現在情報を該当するユーザＩＤのデータベース４１０に登録する（ステップＳ８１１）。そして、データベース４１０を参照して、登録した各ユーザの現在情報を同一ユーザグループの各ユーザのナビゲーション装置３００に返信する（ステップＳ８１２）。【００５７】
上記処理により、ユーザは、同一ユーザグループの各ユーザの現在情報として、各ユーザのメッセージと現在位置を知ることができるようになる。【００５８】
図９は、データベースに格納される情報例を示す図表である。図８に示した現在情報は、図示のように、ユーザ別に行ＩＤと、時刻（現在時刻）と、車両位置情報（緯度経度）と、メッセージとからなる。行ＩＤは、図７の行ＩＤのユーザと同じであり、ユーザ毎のメッセージとしてデータベースに格納される。【００５９】
図１０は、ナビゲーション装置に表示される共有情報の表示例を示す図である。表示画面１０００上には、同一のユーザグループとして、目的地がいずれも東京タワーに向かっている各ユーザの現在情報が表示される。自車位置は、図中の１００１（ａさん）であるとする。ナビゲーション装置３００は、サーバ４００から受信した現在情報により、各ユーザの現在位置と、目的地（東京タワー）までの経路を表示画面１０００上に表示する。【００６０】
また、メッセージを送信したユーザについては、現在位置の箇所に吹き出し表示（例えば、ユーザｇ）１００２を表示させ、メッセージを表示する。これにより、同一目的地に移動している複数のユーザのメッセージを簡単に参照できる。また、メッセージは、各ユーザの現在位置上に表示されるため、例えば、目的地に近いユーザｋの吹き出し表示１００３を見て、目的地近傍の駐車場に「空きがない」との情報を得ることができる。【００６１】
図１０に示す各ユーザの目的地までの経路は、各ユーザのナビゲーション装置３００から送信されたものをサーバが表示処理する。これに限らず、サーバ４００では各ユーザの現在位置と目的地、および出発時刻を把握しているため、サーバ４００側が経路を決定し、ユーザのナビゲーション装置３００に送信する構成としてもよい。これにより、ナビゲーション装置３００側での経路探索処理を省力化できる。また、サーバ４００は、あるユーザのナビゲーション装置３００との間の通信が一時的に不通となったり、通信状態が悪くなった場合にこのユーザの目的地までの経路を探索してもよい。【００６２】
さらに、サーバ４００は、各ユーザ毎に、走行履歴情報を保持しておくことができる。そして、サーバ４００は、走行履歴（例えばリンク間の走行距離に対する走行時間）を解析することにより、各ユーザの経路の混雑状況を判定することができる。また、急ブレーキや急発進、エコ運転（穏やかな発進や停止）を判断できるようになる。そして、走行履歴の判定結果（上記混雑状況、急ブレーキや急発進、エコ運転）を各ユーザ別にアイコン表示させてもよい。【００６３】
そして、表示画面１０００上には、各ユーザ毎の現在位置や目的地までの経路に限らず、ユーザ別に設定したアイコン、車両速度（現在の速度や過去一定期間の平均速度）、走行中の道路渋滞度、現在位置の天候、車載カメラで撮影した画像や動画、視聴しているＡＶメディアのソース、プログラムなど、ナビゲーション装置３００によって取得可能な情報を表示させて、複数のユーザ間で情報共有できる。【００６４】
また、表示画面１０００上の表示を所定のモード別に表示させることもできる。例えば、図１０に示すように、ノーマルモードでは、目的地である東京タワーを目指しているユーザ数「１１人」をモード画面１０１０に表示させることができ、目的地に向かっているユーザ数を容易に把握できるようになる。【００６５】
また、モードの切り替えにより、例えば、レースモードでは、目的地への到着順をモード画面１０１１として表示させることができる。サーバ４００は、ナビゲーション装置３００から受信した到着予想時刻の情報に基づき、到着順を表示出力する。サーバ４００は、このレースモードでは、各ユーザの登録後にレースに適した音楽を流したり、各ユーザの現在位置の変化に基づき、「○○さんがゴールしました！」、「△△さんがレースに参加しました！」、「○○さんが××さんとすれ違いました！」等と、各ユーザの走行状態を表示させることにより、情報共有サービスへの参加意欲を向上させることができるようになる。【００６６】
図１１は、ナビゲーション装置に表示される共有情報の他の表示例を示す図である。表示画面１０００上には、図１０同様に、同一のユーザグループとして、目的地がいずれも東京タワーに向かっている各ユーザの現在情報が表示される。自車位置は、図中の１００１（ａさん）であるとする。ナビゲーション装置３００は、サーバ４００から受信した現在情報により、各ユーザの現在位置と、目的地（東京タワー）までの経路を表示画面１０００上に表示する。【００６７】
また、図１１の例では、表示画面１０００の右側部にメッセージ領域１１０１を設けており、各ユーザからのメッセージが順次タイムラインで表示される。図示のメッセージ領域１１０１ではユーザを識別できないが、各ユーザのＩＤ（ａさん〜ｋさん）を併せて表示してもよい。これにより、各ユーザのメッセージを時間経過順に得ることができ、表示されているメッセージに対してさらにメッセージを投稿できるようになる。【００６８】
図１１の例では、各ユーザのメッセージを表示する例を示したが、これに限らず、各ユーザのナビゲーション装置３００は、再生中のコンテンツ（例えば、放送局名や再生曲名、作曲者、作詞者、演奏者、収録アルバム等）を上記メッセージとして送信し、メッセージ領域１１０１に表示させることもできる。サーバ４００は、ナビゲーション装置３００から再生中のコンテンツに限らず、過去の再生履歴を取得してこの再生履歴を表示させてもよい。この場合、目的地があるアーチストのライブ会場であるとき、各ユーザ間でこのアーチストの情報を情報共有できるようになる。【００６９】
また、サーバ４００に目的地の施設等の運営者の端末を接続する構成とし、ユーザ間のみならず、目的地の運営者から施設に関する情報を投稿し、ユーザ間で共有する構成とすることもできる。例えば、「本日の営業時間はｘｘ時までです」、「ただ今タイムセール実施中です！」、「割引券配布中！」等、目的地の情報をユーザに通知できる。【００７０】
また、表示画面１０００上に表示可能なユーザ数には限度があるため、あるユーザに対して有益な（関連性が高い）ユーザを選択して表示（ユーザのナビゲーション装置３００に送信）する構成としてもよい。【００７１】
サーバ４００は、同一のユーザグループに属するユーザ数が多数の場合（例えば、図１０に示すユーザ数１１を超えた場合）、例えば出発時刻がユーザと近い順にソートする、出発地点がユーザと近い順にソートする、到着予想時刻がユーザと近い順にソートする、目的地までの経路の類似性が強い順にソートする、等の処理をおこなうことにより、あるユーザから見て有益な他のユーザとの間の情報共有を図ることができるようになる。なお、全てのユーザに対して同じユーザを選択することとはならず、ユーザグループ内には複数のユーザがいるため、各ユーザに対してそれぞれ異なる複数の他のユーザが選択されることになる。【００７２】
（脱会処理（情報共有の登録解除））
ユーザの脱会処理は、目的地到着（図１２）、タイムアウト（図１３）、手動脱会（図１４）、のいずれかを契機としておこなわれ、情報共有を登録解除する。【００７３】
図１２は、ユーザの脱会処理を示すフローチャートである。目的地到着時の脱会について説明する。ユーザの車両に搭載されるナビゲーション装置３００がおこなう処理（ステップＳ１２０１〜ステップＳ１２０３）と、サーバ４００（情報共有装置１００）がおこなう処理（ステップＳ１２１０〜ステップＳ１２１１）を記載してある。【００７４】
ナビゲーション装置３００は、現在位置を取得し（ステップＳ１２０１）、目的地に到着したかを判断する（ステップＳ１２０２）。目的地に到着していなければ（ステップＳ１２０２：Ｎｏ）、ステップＳ１２０１に戻るが、目的地に到着すれば（ステップＳ１２０２：Ｙｅｓ）、到着情報をサーバ４００に送信する（ステップＳ１２０３）。【００７５】
サーバ４００は、ナビゲーション装置３００から到着情報を受信すると（ステップＳ１２１０）、該当するユーザが目的地に到着した旨をデータベース４１０に登録する（ステップＳ１２１１）。これにより、ユーザは、目的地までの間の情報共有サービスから脱会することができる。【００７６】
図１３は、ユーザの脱会処理の他の例を示すフローチャートである。タイムアウト時の脱会について説明する。ユーザの車両に搭載されるナビゲーション装置３００がおこなう処理（ステップＳ１３０１〜ステップＳ１３０３）と、サーバ４００（情報共有装置１００）がおこなう処理（ステップＳ１３１０〜ステップＳ１３１２）を記載してある。【００７７】
ナビゲーション装置３００は、現在時刻を取得し（ステップＳ１３０１）、脱会対象時間差が生じたかを判断する（ステップＳ１３０２）。例えば、ナビゲーション装置３００からサーバ４００に対する定期的な送信（現在位置等）が車両の駐停車や故障等により中断したとき、所定時間経過したかを判断する。所定時間差以内であれば（ステップＳ１３０２：Ｎｏ）、ステップＳ１３０１に戻るが、所定時間差を超えれば（ステップＳ１３０２：Ｙｅｓ）、ナビゲーション装置３００は、脱会の旨をサーバ４００に通知する（ステップＳ１３０３）。【００７８】
サーバ４００においても、ナビゲーション装置３００とほぼ同様の処理を行う。サーバ４００は、現在時刻を取得し（ステップＳ１３１０）、ユーザの脱会対象時間差が生じたかを判断する（ステップＳ１３１１）。例えば、ユーザのナビゲーション装置３００からサーバ４００に対する定期的な送信（現在位置等）が車両の駐停車や故障等により中断したとき、所定時間経過したかを判断する。所定時間差以内であれば（ステップＳ１３１１：Ｎｏ）、ステップＳ１３１０に戻るが、所定時間差を超えれば（ステップＳ１３１１：Ｙｅｓ）、サーバ４００は、該当するユーザについて、データベース４１０を脱会状態に変更する（ステップＳ１３１２）。【００７９】
図１４は、ユーザの脱会処理の他の例を示すフローチャートである。ユーザの意志により手動操作の脱会について説明する。ユーザの車両に搭載されるナビゲーション装置３００がおこなう処理（ステップＳ１４０１〜ステップＳ１４０４）と、サーバ４００（情報共有装置１００）がおこなう処理（ステップＳ１４１０〜ステップＳ１４１２）を記載してある。【００８０】
ナビゲーション装置３００は、ユーザ操作により脱会手続を行うと（ステップＳ１４０１）、脱会情報をサーバ４００に送信し（ステップＳ１４０２）、サーバ４００から脱会受領情報を受信すると（ステップＳ１４０３）、脱会処理を完了する（ステップＳ１４０４）。【００８１】
サーバ４００は、ナビゲーション装置３００から脱会情報を受信すると（ステップＳ１４１０）、データベース４１０の該当するユーザを脱会状態として登録する（ステップＳ１４１１）。この後、ユーザのナビゲーション装置３００に対して脱会を受領した脱会受領情報を送信する（ステップＳ１４１２）。【００８２】
図１２〜図１４に示すユーザの脱会処理の例では、データベース４１０の該当するユーザのレコードは削除せずに、「到達済」等の識別子（フラグ）を設定する。このように、データベース４１０からユーザの過去の情報を削除しない場合、ユーザの目的地毎の情報共有の内容を履歴として保持しておくことができる。【００８３】
上述した構成によれば、同一の目的地に向かう複数のユーザが情報共有することにより、目的の一致性が高い各ユーザに対していずれも有益な情報を容易に取得でき、また、他のユーザに通知して同一のユーザグループ間で情報共有することができるようになる。【００８４】
また、ユーザは、所定の目的地を設定するだけで、この目的地に向う他のユーザと簡単に情報でき、脱会についても、目的地への到着等で自動的に脱会することができ、特別な操作を必要とせず簡単に情報共有を開始、終了できる。【００８５】
なお、上記構成では、各ユーザが同一の目的地に向かうことを前提に説明したが、同一の目的地付近に向かう複数のユーザに対して同一のユーザグループを設定して情報共有することとしてもよい。例えば目的地が広大で複数の施設がある場合、これら複数の施設を含む範囲を予め設定しておき、この範囲に含まれるユーザを同一のユーザグループとすればよい。また、上記例では、目的地が「東京タワー」のユーザと、「東京タワーの駐車場」のユーザがいる場合、これら一定の属性あるいは一定範囲内の複数ユーザを同一のユーザグループに設定すればよい。【００８６】
また、実施例では、ユーザは、ナビゲーション装置を用いて地点情報を送出する構成について説明したが、他のスマートフォンなどの情報処理端末を用いて情報共有してもよい。【００８７】
また、ユーザは、実施例で説明したナビゲーション装置３００を用いるに限らず、より簡易な構成を用いることもできる。例えば、ユーザの端末に現在位置を取得できるＧＰＳ機能と、サーバ４００との間の通信機能（送受信部）と、表示機能を有する情報処理端末を用いて、上記実施例同様の情報共有サービスを受けることができる。この場合、サーバ４００側がユーザの情報処理端末の現在位置と目的地の情報を受信して目的地までの経路を計算する。そしてサーバ４００は、この経路やメッセージ等の現在情報を逐次情報処理端末に送信する。情報処理端末は、受信した現在情報を表示させユーザに通知する。このように、簡易な機能の情報処理端末を用いても、実施例同様の情報共有サービスを受けることができる。【００８８】
なお、本実施の形態で説明した情報共有方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００８９】
１００  情報共有装置
１０１  取得部
１０２  登録部
１０３  共有部
３００  ナビゲーション装置
４００  サーバ
【図１】
2014162611.tif 000003
【図２】
2014162611.tif 000004
【図３】
2014162611.tif 000005
【図４】
2014162611.tif 000006
【図５】
2014162611.tif 000007
【図６】
2014162611.tif 000008
【図７】
2014162611.tif 000009
【図８】
2014162611.tif 000010
【図９】
2014162611.tif 000011
【図１０】
2014162611.tif 000012
【図１１】
2014162611.tif 000013
【図１２】
2014162611.tif 000014
【図１３】
2014162611.tif 000015
【図１４】
2014162611.tif 000016
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
複数の情報処理端末間での情報共有が可能なネットワークサービスを提供する情報共有システムであって、
前記情報処理端末から、当該情報処理端末に設定された目的地情報を取得する取得部と、
前記情報処理端末を利用しているユーザを、前記目的地情報と関連する目的地が設定された他の情報処理端末を利用するユーザからなるユーザグループのデータベースに登録する登録部と、
前記登録部に登録されている同一のユーザグループ間で情報を共有する共有部と、
を有し、
前記登録部は、前記情報処理端末から前記目的地に到着したことを示す情報を取得した場合、前記データベースの当該情報処理端末の前記ユーザを登録解除し、情報の共有を解除することを特徴とする情報共有システム。
【請求項２】
前記取得部は、前記情報処理端末を利用するユーザを特定するＩＤ情報を取得し、
前記登録部は、前記ＩＤ情報を、前記取得部によって取得された目的地情報と関連する目的地が設定された他の情報処理端末のＩＤ情報により構成されるデータベースへ登録することを特徴とする請求項１に記載の情報共有システム。
【請求項３】
前記共有部は、前記情報処理端末から送信された前記ユーザのメッセージ、前記ユーザの現在位置の渋滞情報、前記ユーザの移動速度、前記ユーザの位置、のうち一つ以上を前記情報として共有することを特徴とする請求項１に記載の情報共有システム。
【請求項４】
前記登録部は、前記情報処理端末から前記目的地に到着したことを示す情報を取得した場合、前記データベースの当該情報処理端末の前記ユーザを登録解除し、情報の共有を解除することを特徴とする請求項１に記載の情報共有システム。
【請求項５】
地図情報、および前記情報処理端末の現在位置と目的地の情報に基づき、前記情報処理端末の目的地までの経路を探索する探索部を有し、前記経路を前記情報処理端末に送信することを特徴とする請求項１に記載の情報共有システム。
【請求項６】
前記同一のユーザグループに属するユーザ数が所定数より多い場合、前記ユーザと関連性が高い他のユーザの情報を選択して情報共有することを特徴とする請求項１に記載の情報共有システム。
【請求項７】
ユーザにより設定された目的地情報をサーバへ送信する送信部と、
前記目的地情報と関連する目的地が設定された他の情報処理端末が前記サーバへ送信した情報を当該サーバから受信する受信部と、
前記受信した情報を表示する表示部と、
を有することを特徴とする情報処理端末。
【請求項８】
サーバに接続された複数の情報処理端末間での情報共有が可能なネットワークサービスを提供する情報共有システムであって、
前記情報処理端末は、
ユーザにより設定された目的地情報をサーバへ送信する送信部と、
前記目的地情報と関連する目的地が設定された他の情報処理端末が前記サーバへ送信した情報を当該サーバから受信する受信部と、
前記受信した情報を表示する表示部と、
を有し、
前記サーバは、
前記情報処理端末から、当該情報処理端末に設定された目的地情報を取得する取得部と、
前記情報処理端末を利用しているユーザを、前記目的地情報と関連する目的地が設定された他の情報処理端末を利用するユーザからなるユーザグループのデータベースに登録する登録部と、
前記登録部に登録されている同一のユーザグループの前記情報処理端末間で情報を共有する共有部と、
を有し、
前記登録部は、前記情報処理端末から前記目的地に到着したことを示す情報を取得した場合、前記データベースの当該情報処理端末の前記ユーザを登録解除し、情報の共有を解除することを特徴とする情報共有システム。
【請求項９】
複数の情報処理端末間での情報共有が可能なネットワークサービスを提供する情報共有装置が実施する情報共有方法において、
前記情報処理端末から、当該情報処理端末に設定された目的地情報を取得する取得工程と、
前記情報処理端末を利用しているユーザを、前記目的地情報と関連する目的地が設定された他の情報処理端末を利用するユーザからなるユーザグループのデータベースに登録する登録工程と、
前記登録工程に登録された同一のユーザグループ間で情報を共有する共有工程と、
を含み、
前記登録工程は、前記情報処理端末から前記目的地に到着したことを示す情報を取得した場合、前記データベースの当該情報処理端末の前記ユーザを登録解除し、情報の共有を解除することを特徴とする情報共有方法。
【請求項１０】
複数の情報処理端末間での情報共有が可能なネットワークサービスを提供するサーバに接続される情報処理端末が実施する情報処理方法において、
ユーザにより設定された目的地情報をサーバへ送信する送信工程と、
前記目的地情報と関連する目的地が設定された他の情報処理端末が前記サーバへ送信した情報を当該サーバから受信する受信工程と、
前記受信した情報を表示する表示工程と、
を含むことを特徴とする情報共有方法。
【請求項１１】
請求項９または請求項１０に記載の情報共有方法をコンピュータに実行させることを特徴とする情報共有プログラム。
【手続補正２】
【補正対象書類名】明細書
【補正対象項目名】０００５
【補正方法】変更
【補正の内容】
【０００５】
上述した課題を解決し、目的を達成するため、請求項１の発明にかかる情報共有システムは、複数の情報処理端末間での情報共有が可能なネットワークサービスを提供する情報共有システムであって、前記情報処理端末から、当該情報処理端末に設定された目的地情報を取得する取得部と、前記情報処理端末を利用しているユーザを、前記目的地情報と関連する目的地が設定された他の情報処理端末を利用するユーザからなるユーザグループのデータベースに登録する登録部と、前記登録部に登録されている同一のユーザグループ間で情報を共有する共有部と、を有し、前記登録部は、前記情報処理端末から前記目的地に到着したことを示す情報を取得した場合、前記データベースの当該情報処理端末の前記ユーザを登録解除し、情報の共有を解除することを特徴とする。
【手続補正３】
【補正対象書類名】明細書
【補正対象項目名】０００７
【補正方法】変更
【補正の内容】
【０００７】
また、請求項８の発明にかかる情報共有システムは、サーバに接続された複数の情報処理端末間での情報共有が可能なネットワークサービスを提供する情報共有システムであって、前記情報処理端末は、ユーザにより設定された目的地情報をサーバへ送信する送信部と、前記目的地情報と関連する目的地が設定された他の情報処理端末が前記サーバへ送信した情報を当該サーバから受信する受信部と、前記受信した情報を表示する表示部と、を有し、前記サーバは、前記情報処理端末から、当該情報処理端末に設定された目的地情報を取得する取得部と、前記情報処理端末を利用しているユーザを、前記目的地情報と関連する目的地が設定された他の情報処理端末を利用するユーザからなるユーザグループのデータベースに登録する登録部と、前記登録部に登録されている同一のユーザグループの前記情報処理端末間で情報を共有する共有部と、を有し、前記登録部は、前記情報処理端末から前記目的地に到着したことを示す情報を取得した場合、前記データベースの当該情報処理端末の前記ユーザを登録解除し、情報の共有を解除することを特徴とする。
【手続補正４】
【補正対象書類名】明細書
【補正対象項目名】０００８
【補正方法】変更
【補正の内容】
【０００８】
また、請求項９の発明にかかる情報共有方法は、複数の情報処理端末間での情報共有が可能なネットワークサービスを提供する情報共有装置が実施する情報共有方法において、前記情報処理端末から、当該情報処理端末に設定された目的地情報を取得する取得工程と、前記情報処理端末を利用しているユーザを、前記目的地情報と関連する目的地が設定された他の情報処理端末を利用するユーザからなるユーザグループのデータベースに登録する登録工程と、前記登録工程に登録された同一のユーザグループ間で情報を共有する共有工程と、を含み、前記登録工程は、前記情報処理端末から前記目的地に到着したことを示す情報を取得した場合、前記データベースの当該情報処理端末の前記ユーザを登録解除し、情報の共有を解除することを特徴とする。
【国際調査報告】
2014162611.tif 000017
2014162611.tif 000018
2014162611.tif 000019
2014162611.tif 000020
2014162611.tif 000021
2014162611.tif 000022
2014162611.tif 000023